(57)【要約】【課題】複数の触媒担体を内蔵する触媒コンバーターの製造をより容易とする。【解決手段】触媒コンバーター２のハウジング３には、尿素ＳＣＲ触媒を坦持するＳＣＲ触媒担体４、及びアンモニアスリップ抑制触媒（ＡＳＣ触媒）を坦持するＡＳＣ触媒担体６が間隔をおいて内挿されている。こうした触媒コンバーター２において、ＳＣＲ触媒担体４及びＡＳＣ触媒担体６の間に、それら間隔が縮小されないように、両触媒担体（４、６）の対向する端面をそれぞれ当接支持する間隔保持部材５を設けるとともに、両触媒担体（４、６）の外周を共通の保持マット７によって一体に巻き包むようにした。【選択図】図１
2013170518.tif 000002
【特許請求の範囲】
【請求項１】
それぞれ触媒を担持する第１及び第２の触媒担体が間隔をおいてハウジングに内挿された触媒コンバーターにおいて、
前記間隔が縮小されないように、前記第１及び第２の触媒担体の対向する端面をそれぞれ当接支持する間隔保持部材を備えるとともに、
前記第１及び第２の触媒担体がそれらの外周において共通の保持マットによって一体に巻き包まれてなる
ことを特徴とする触媒コンバーター。
【請求項２】
前記間隔保持部材は、前記端面の外縁部分にそれぞれ当接されるリング形状に形成されてなる
請求項１に記載の触媒コンバーター。
【請求項３】
前記間隔保持部材における前記端面との当接部分には、径方向に延びるフランジが形成されてなる
請求項２に記載の触媒コンバーター。
【請求項４】
前記間隔保持部材の軸方向両端には、前記第１及び第２の触媒担体の外周に摺接する担体保持部が形成されてなる
請求項１〜３のいずれか１項に記載の触媒コンバーター。
【請求項５】
前記第１の触媒担体には、アンモニアを還元剤として窒素酸化物を還元する選択還元触媒が担持され、前記第２の触媒担体には、アンモニアを分解するアンモニアスリップ抑制触媒が担持されてなる
請求項１〜４のいずれか１項に記載の触媒コンバーター。
【発明の詳細な説明】
【技術分野】
【０００１】
この発明は、それぞれ触媒を担持する複数の触媒担体が間隔をおいてハウジングに内挿された触媒コンバーターに関する。
【背景技術】
【０００２】
排気中の窒素酸化物（ＮＯｘ）を浄化する排気浄化システムとして、選択触媒還元（ＳＣＲ：Selective Catalytic Reduction）を用いた尿素ＳＣＲ方式の排気浄化システムが知られている。この種の排気浄化システムは、排気中に尿素水を噴射するインジェクターと、その排気下流に配設された、尿素ＳＣＲ触媒を担持する触媒担体を内蔵するＳＣＲ触媒コンバーターとを備えている。
【０００３】
こうした排気浄化システムでのＮＯｘの浄化は、次のように行われる。すなわち、排気中に尿素水を噴霧すると、その尿素水は、排気中で熱分解、加水分解されて、アンモニア（ＮＨ３）に変化する。そして、排気中のＮＯｘとそのアンモニアとがＳＣＲ触媒コンバーターにおいて還元反応することで、排気中のＮＯｘが水と無害な窒素（Ｎ２）に分解される。
【０００４】
ところで、こうした尿素ＳＣＲ方式の排気浄化システムでは、ＳＣＲ触媒コンバーターに流入するアンモニアの量が多過ぎると、尿素ＳＣＲ触媒ですべてのアンモニアを分解することができなくなる。そして、ＳＣＲ触媒コンバーターからアンモニアが漏出する、いわゆるアンモニアスリップが生じてしまうことがある。
【０００５】
そこで従来、図５に示すような、尿素ＳＣＲ触媒が担持されたＳＣＲ触媒担体２０１と、その排気下流側に一定の間隔をおいて配設されて、アンモニアスリップ抑制触媒（ＡＳＣ触媒）が担持されたＡＳＣ触媒担体２０２とがそのハウジング２０３に内蔵されたＡＳＣ触媒付きのＳＣＲ触媒コンバーター２００が提案されている（特許文献１など）。こうしたＡＳＣ触媒付きのＳＣＲ触媒コンバーターでは、反応されずに尿素ＳＣＲ触媒を通り抜けたアンモニアを、その下流に設けられたＡＳＣ触媒で酸化して、水と窒素とに分解することで、アンモニアスリップを抑制することができる。
【先行技術文献】
【特許文献】
【０００６】
【特許文献１】特開２０１１‐９４５９２号公報
【発明の概要】
【発明が解決しようとする課題】
【０００７】
ところで、触媒コンバーターでは、触媒担体の衝撃からの保護や安定保持のため、アルミナマット等からなる保持マットを外周に巻き包んだ状態で触媒担体がハウジングに内挿されている。そして、触媒担体の外周に保持マットを巻き付けた上で、ハウジングに圧入することで、触媒コンバーターが製造されている。
【０００８】
一方、上記のようなＡＳＣ触媒付きのＳＣＲ触媒コンバーターのように複数の触媒担体を内蔵する触媒コンバーターの場合には、保持マットの巻き付け及びハウジングへの圧入を、触媒担体毎に個別に行うことになる。そのため、複数の触媒担体を内蔵する触媒コンバーターでは、製造工程の数が自ずと多くなってしまう。
【０００９】
また、上記のようなＡＳＣ触媒付きのＳＣＲ触媒コンバーターでは、反応されずに尿素ＳＣＲ触媒を通り抜けるアンモニアの量は限られており、その分解に必要なＡＳＣ触媒の量はそれほど多くない。そのため、ＡＳＣ触媒担体は、ＳＣＲ触媒担体に比して体積が小さくなっている。一方、ハウジングの成形性や排気圧損の抑制のため、両触媒担体は、同径とされることが多く、その場合のＡＳＣ触媒担体は、ＳＣＲ触媒担体に比して、軸方向長さが小さくなる。そうした場合、ＡＳＣ触媒担体２０２の外周と保持マット２０４との接触面積は小さくなり、図６の（ａ）、（ｂ）に示すように、圧入時のハウジング２０３内周と保持マット２０４との摩擦抵抗により、ＡＳＣ触媒担体２０２の外周における保持マット２０４の位置がずれ易くなってしまう。保持マットの位置がずれると、圧入中にＡＳＣ触媒担体の軸線がハウジングの軸線に対して傾いてしまったり、圧入後のＡＳＣ触媒担体の保持が不安定となったりしてしまう。そのため、そうしたＡＳＣ触媒担体の圧入は、保持マットの位置がずれないよう、慎重に行わなければならなくなる。
【００１０】
本件発明は、こうした課題に鑑みてなされたものであり、その目的は、複数の触媒担体を内蔵する触媒コンバーターの製造をより容易とすることにある。
【課題を解決するための手段】
【００１１】
以下、上記目的を達成するための手段及びその作用効果について記載する。
請求項１に記載の発明は、それぞれ触媒を担持する第１及び第２の触媒担体が間隔をおいてハウジングに内挿された触媒コンバーターにおいて、前記間隔が縮小されないように、前記第１及び第２の触媒担体の対向する端面をそれぞれ当接支持する間隔保持部材を備えるとともに、前記第１及び第２の触媒担体がそれらの外周において共通の保持マットによって一体に巻き包まれてなることをその要旨とする。
【００１２】
上記構成では、第１及び第２の触媒担体が共通の保持マットで巻き包まれているため、両触媒担体への保持マットの巻き付けを一工程で行うことが可能となる。また、保持マットの巻き付けを通じて両触媒担体が一体化されるとともに、間隔保持部材によって圧入時の押圧に対して両触媒担体の間隔が保持されるため、両触媒担体をハウジングに同時に圧入することが可能ともなる。そのため、複数の触媒担体を内蔵する触媒コンバーターをより少ない製造工程数で製造することができる。また、両触媒担体が一つの保持マットに一体に巻き包まれているため、たとえそれら触媒担体の一方又は双方の保持マットとの接触面積が小さくても、圧入時の触媒担体に対する保持マットの位置のずれは生じ難くなる。したがって、上記構成によれば、複数の触媒担体を内蔵する触媒コンバーターの製造をより容易とすることができる。
【００１３】
請求項２に記載の発明は、請求項１に記載の発明において、前記間隔保持部材は、前記端面の外縁部分にそれぞれ当接されるリング形状に形成されてなることをその要旨とする。
【００１４】
上記構成では、リング形状に形成された間隔保持部材が、両触媒担体の端面の外縁部分に全周に亘り当接される。そのため、圧入時の押圧が、両触媒担体の端面の外縁部分に均等に加わるようになり、軸線の傾きを抑えて、それら触媒担体を適切に圧入することが容易となる。
【００１５】
請求項３に記載の発明は、請求項２に記載の発明において、前記間隔保持部材における前記端面との当接部分には、径方向に延びるフランジが形成されてなることをその要旨とする。
【００１６】
上記構成では、フランジの形成により、間隔保持部材と触媒担体との接触面積が増大されるため、圧入時の押圧により、両触媒担体の間隔保持部材との当接部分に加わる面圧が低下されるようになる。そのため、触媒担体の割れを回避しつつ、圧入時の押圧を大きくすることができる。
【００１７】
請求項４に記載の発明は、請求項１〜３のいずれか１項に記載の発明において、前記間隔保持部材の軸方向両端には、前記第１及び第２の触媒担体の外周に摺接する担体保持部が形成されてなることをその要旨とする。
【００１８】
上記構成では、間隔保持部材の軸方向両端にそれぞれ形成された担体保持部により、両触媒担体の外周を保持することで、両触媒担体の軸線のずれを防止することができる。そのため、軸線の傾きを生じさせずに適切に両触媒担体を圧入することが可能となる。
【００１９】
請求項５に記載の発明は、請求項１〜４のいずれか１項に記載の発明において、前記第１の触媒担体には、アンモニアを還元剤として窒素酸化物を還元する選択還元触媒が担持され、前記第２の触媒担体には、アンモニアを分解するアンモニアスリップ抑制触媒が担持されてなることをその要旨とする。
【００２０】
本発明の触媒コンバーターは、例えば上記のようなＡＳＣ触媒付きのＳＣＲ触媒コンバーターに適用することができる。なお、こうしたＡＳＣ触媒付きのＳＣＲ触媒コンバーターでは、一般に、ＡＳＣ触媒が担持されたＡＳＣ触媒担体は、軸方向長さが小さくなり、圧入時にその外周における保持マットの位置のずれが生じ易くなる。そのため、軸方向長さの小さい触媒担体でも、圧入時の保持マットのずれを好適に抑制可能な本発明の適用が特に好適なものとなっている。
【図面の簡単な説明】
【００２１】
【図１】本発明の第一実施形態にかかる触媒コンバーターを適用した排気浄化システムについてその全体構造を模式的に示す略図。
【図２】（ａ）〜（ｄ）同実施形態にかかる触媒コンバーターの製造工程をそれぞれ模式的に示す図。
【図３】本発明の第二実施形態にかかる触媒コンバーターの構造を模式的に示す図。
【図４】本発明の第三実施形態にかかる触媒コンバーターの構造を模式的に示す図。
【図５】従来の触媒コンバーターについてその一例の構造を模式的に示す図。
【図６】（ａ）、（ｂ）従来の触媒コンバーターの製造工程において保持マットの位置ずれが発生したときの圧入前後の状態をそれぞれ模式的に示す図。
【発明を実施するための形態】
【００２２】
（第一実施形態）
以下、本発明の触媒コンバーターを具体化した第一実施形態について、図１及び図２を参照して説明する。
【００２３】
まず、本実施形態の触媒コンバーターが適用される排気浄化システムの構成を、図１を参照して説明する。同図に示すように、本実施形態の触媒コンバーターが適用される排気浄化システムは、排気中に尿素水を供給する尿素水供給装置１００と、尿素水を還元剤として排気中の窒素酸化物を浄化する触媒コンバーター２とを備えている。
【００２４】
尿素水供給装置１００には、尿素（（ＮＨ２）２ＣＯ）水を貯留する尿素水タンク１０１が設けられている。尿素水タンク１０１は、尿素水タンク１０１から吸引した尿素水を加圧して吐出する尿素水ポンプ１０３が設けられた尿素水供給通路１０２を通じて、内燃機関の排気通路を構成する排気管１に設置されたインジェクター１０４に接続されている。そして、インジェクター１０４の設置された排気管１の排気下流側の端部に、本実施形態の触媒コンバーター２が接続されている。
【００２５】
次に、こうした排気浄化システムに設けられた本実施形態の触媒コンバーター２の構成を説明する。触媒コンバーター２は、その外殻を構成するハウジング３と、その内部に収容された２つの触媒担体、すなわちＳＣＲ触媒担体４及びＡＳＣ触媒担体６を備えている。
【００２６】
ハウジング３は、円管形状に形成されたハウジング中央部３ｂの排気上流側及び下流側に、ハウジング前部３ａ及びハウジング後部３ｃを溶接等で一体に接合することで形成されている。そして、上記ＳＣＲ触媒担体４及びＡＳＣ触媒担体６は、そうしたハウジング３のハウジング中央部３ｂの内部に配設されている。
【００２７】
ＳＣＲ触媒担体４は、セラミクスからなり、内部がハニカム構造とされた円筒形に形成されている。そしてその内表面には、アンモニアを還元剤として窒素酸化物を窒素と水とに還元する尿素ＳＣＲ触媒が担持されている。
【００２８】
一方、ＡＳＣ触媒担体６は、ＳＣＲ触媒担体４の排気下流側に、既定の間隔をおいて配設されている。ＡＳＣ触媒担体６も同様に、セラミクスからなり、内部がハニカム構造とされた円筒形に形成されている。そしてその内表面には、アンモニアを酸化して水と窒素とに分解するＡＳＣ触媒が担持されている。なお、ＡＳＣ触媒担体６は、ＳＣＲ触媒担体４と同じ外径とされ、その軸方向長さＬ２は、ＳＣＲ触媒担体４の軸方向長さＬ１よりも小さくされている（Ｌ２＜Ｌ１）。
【００２９】
これらＳＣＲ触媒担体４及びＡＳＣ触媒担体６の間には、それらと外径を等しくする、リング形状の間隔保持部材５が介設されている。間隔保持部材５の軸方向における長さは、触媒コンバーター２におけるＳＣＲ触媒担体４とＡＳＣ触媒担体６との設定間隔と同じとされている。そして間隔保持部材５は、ＳＣＲ触媒担体４の排気下流側の端面の外縁部分、及びＡＳＣ触媒担体６の排気上流側の端面の外縁部分にその軸方向における両端がそれぞれ当接した状態で配設されている。
【００３０】
これらＳＣＲ触媒担体４、ＡＳＣ触媒担体６及び間隔保持部材５の外周には、アルミナファイバーをマット状に形成された保持マット７が巻き付けられている。そして、ＳＣＲ触媒担体４、ＡＳＣ触媒担体６及び間隔保持部材５は、こうした保持マット７を介して、ハウジング３に保持されている。すなわち、本実施形態の触媒コンバーター２では、ＳＣＲ触媒担体４、間隔保持部材５及びＡＳＣ触媒担体６が、その外周において共通の保持マット７によって一体に巻き包まれている。
【００３１】
次に、こうした本実施形態の触媒コンバーター２の作用を説明する。
本実施形態の触媒コンバーター２は、上記排気浄化システムにおいて、次のように機能する。すなわち、インジェクター１０４から排気管１内の排気中に尿素水が噴霧されると、その尿素水は、排気中で熱分解、加水分解されて、アンモニア（ＮＨ３）に変化する。そして、そのアンモニアは、触媒コンバーター２の内部に流入する。触媒コンバーター２の内部に流入したアンモニアは、ＳＣＲ触媒担体４に坦持された尿素ＳＣＲ触媒上で、排気中のＮＯｘと還元反応する。そしてこれにより、排気中のＮＯｘが水と無害な窒素（Ｎ２）に分解される。このとき、反応されずにＳＣＲ触媒担体４を通り抜けたアンモニアは、その下流に設けられたＡＳＣ触媒担体６に坦持されたＡＳＣ触媒上で酸化され、水と窒素とに分解される。そのため、こうした触媒コンバーター２では、アンモニアスリップを抑えることができる。
【００３２】
一方、上記のように構成された本実施形態の触媒コンバーター２は、２つの触媒担体を内蔵するものでありながらも、より少ない製造工程数で、容易に製造可能となっている。本実施形態の触媒コンバーター２の製造は、次のように行われる。
【００３３】
触媒コンバーター２の製造に際しては、まず、図２（ａ）に示すように、ＳＣＲ触媒担体４、間隔保持部材５及びＡＳＣ触媒担体６の順に並べ、図２（ｂ）に示すように、ＳＣＲ触媒担体４、ＡＳＣ触媒担体６の間に間隔保持部材５を挟み込むようにこれらを互いに当接される。
【００３４】
続いて、こうして一体の円筒となったＳＣＲ触媒担体４、間隔保持部材５及びＡＳＣ触媒担体６の外周に、図２（ｃ）に示すように、保持マット７を巻き付ける。このように、本実施形態では、２つの触媒担体（４、６）への保持マットの巻き付けが一工程で行われる。
【００３５】
次に、保持マット７の巻き付けにより一体化されたＳＣＲ触媒担体４、間隔保持部材５及びＡＳＣ触媒担体６を、図２（ｄ）に示すように、ハウジング中央部３ｂの両端の開口の一方からその内部に圧入する。圧入中のＳＣＲ触媒担体４とＡＳＣ触媒担体６との間隔は、それら間に介設された間隔保持部材５により、一定に保持される。そのため、ＳＣＲ触媒担体４及びＡＳＣ触媒担体６は、適切な間隔を保ったまま、ハウジング中央部３ｂに圧入されるようになる。
【００３６】
このとき、リング状に形成された間隔保持部材５がＳＣＲ触媒担体４とＡＳＣ触媒担体６の端部の外縁部分に当接しているため、ＳＣＲ触媒担体４、間隔保持部材５、ＡＳＣ触媒担体６の間では、それらの中心軸回りに均等に押圧が伝達される。そのため、圧入される３つの部材（ＳＣＲ触媒担体４、間隔保持部材５、ＡＳＣ触媒担体６）間の軸のずれや傾きは、生じ難くなる。また、ＳＣＲ触媒担体４、間隔保持部材５及びＡＳＣ触媒担体６の外周と保持マット７との接触面積は十分大きいため、ハウジング中央部３ｂの内周との摩擦による圧入中の保持マット７の位置のずれも生じ難くなっている。
【００３７】
以上のように圧入を行った後、ハウジング中央部３ｂの前後にハウジング前部３ａ及びハウジング後部３ｃをそれぞれ接合する。そしてこれにより、触媒コンバーター２が製造されている。
【００３８】
なお、以上説明した本実施形態では、ＳＣＲ触媒担体４が本発明における第１の触媒担体に、ＡＳＣ触媒担体６が本発明における第２の触媒担体にそれぞれ相当する構成となっている。
【００３９】
以上説明した第一実施形態によれば、以下の効果が得られるようになる。
（１）本実施形態では、ＳＣＲ触媒担体４及びＡＳＣ触媒担体６が共通の保持マット７で巻き包まれているため、両触媒担体（４、６）への保持マット７の巻き付けを一工程で行うことが可能となる。また、保持マット７の巻き付けを通じて両触媒担体が一体化されるとともに、間隔保持部材５によって圧入時の押圧に対して両触媒担体（４、６）の間隔が保持されるため、両触媒担体（４、６）をハウジング３に同時に圧入することが可能ともなる。そのため、２つの触媒担体（４、６）を内蔵する触媒コンバーター２を、より少ない製造工程数で製造することができる。
【００４０】
（２）本実施形態では、両触媒担体（４、６）が一つの保持マット７に一体に巻き包まれている。そのため、軸方向長さＬ２が小さく、保持マット７との接触面積が小さいＡＳＣ触媒担体６についても、保持マット７の位置のずれを生じさせずに圧入を行うことが可能となる。
【００４１】
（３）本実施形態では、リング形状に形成された間隔保持部材５が、両触媒担体の端面の外縁部分に全周に亘り当接される。そのため、圧入時の押圧が、両触媒担体の端面の外縁部分に均等に加わるようになり、圧入中における圧入部材（ＳＣＲ触媒担体４、間隔保持部材５、ＡＳＣ触媒担体６）間の軸線のずれや傾きを抑えることが可能となる。
【００４２】
（第二実施形態）
次に、本発明の第二実施形態にかかる触媒コンバーターについて、図３を参照して説明する。本実施形態の触媒コンバーターは、間隔保持部材の形状を除いては、第一実施形態のものと同様の構成とされている。また、その製造工程も、第一実施形態のものと同様となっている。なお、本実施形態及び下記の第三実施形態において、上述の実施形態と同様の構成については、共通の符号を付してその詳細な説明は、省略する。
【００４３】
図３に示すように、本実施形態の触媒コンバーター２０でも、ＳＣＲ触媒担体４とＡＳＣ触媒担体６との間に、略リング形状に形成された間隔保持部材２１が介設されている。ただし、本実施形態の触媒コンバーター２０では、間隔保持部材２１の両端、すなわちＳＣＲ触媒担体４及びＡＳＣ触媒担体６との当接部分に、径方向（より詳しくは内周側）に延びるフランジ８がそれぞれ設けられている。
【００４４】
こうした本実施形態の触媒コンバーター２０では、間隔保持部材２１の両端にフランジ８をそれぞれ形成したことで、ＳＣＲ触媒担体４及びＡＳＣ触媒担体６と間隔保持部材２１との接触面積が増大されている。そのため、圧入時にＳＣＲ触媒担体４及びＡＳＣ触媒担体６の間隔保持部材２１との当接部分に加わる面圧が低減されるようになる。
【００４５】
以上説明した第二実施形態によれば、上記（１）〜（３）に記載の効果に加え、更に以下の効果が得られるようになる。
（４）本実施形態では、フランジ８の形成により、間隔保持部材２１と触媒担体（４、６）との接触面積が増大されているため、圧入時の押圧により、触媒担体（４、６）の間隔保持部材２１との当接部分に加わる面圧が低下されるようになる。そのため、触媒担体の割れを回避しつつ、圧入時の押圧を大きくすることができる。
【００４６】
（第三実施形態）
次に、本発明の触媒コンバーターを具体化した第三実施形態について、図４を参照して説明する。本実施形態の触媒コンバーターも、間隔保持部材の形状を除いては、上記実施形態のものと同様の構成とされ、また上記実施形態と同様の工程により製造されている。
【００４７】
図４に示すように、本実施形態の触媒コンバーター３０に設けられる間隔保持部材３１は、略リング形状に形成され、その内周には、排気上流側及び排気下流側の端部から一定の長さの部分に段差３２がそれぞれ形成されている。両段差３２の間の部分における間隔保持部材３１の内径は、ＳＣＲ触媒担体４及びＡＳＣ触媒担体６の外径よりも小さくされている。そして、間隔保持部材３１は、両段差３２の部分において、ＳＣＲ触媒担体４の排気下流側の端面の外縁部分、及びＡＳＣ触媒担体６の排気上流側の端面の外縁部分にそれぞれ当接されている。
【００４８】
一方、両段差３２よりも端側の部分における間隔保持部材３１の内径は、ＳＣＲ触媒担体４及びＡＳＣ触媒担体６の外径とほぼ同じとされている。そして、その部分は、ＳＣＲ触媒担体４及びＡＳＣ触媒担体６の外周に摺接する担体保持部９となっている。
【００４９】
こうした本実施形態の触媒コンバーター３０では、ＳＣＲ触媒担体４及びＡＳＣ触媒担体６がそれらの外周において、間隔保持部材３１の両端の担体保持部９によってそれぞれ保持されるようになる。そのため、圧入中における圧入部材間の軸線のずれや傾きが生じ難くなる。
【００５０】
以上説明した第三実施形態によれば、上記（１）〜（３）に記載の効果に加え、更に以下の効果が得られるようになる。
（５）本実施形態では、間隔保持部材３１の軸方向両端にそれぞれ形成された担体保持部９により、両触媒担体（４、６）の外周をそれぞれ保持することで、圧入部材間の軸線のずれや傾きを防止することができる。そのため、軸線のずれや傾きを生じさせずに適切に両触媒担体を圧入することが可能となる。
【００５１】
なお、上記実施の形態は、以下のように変更して実施することもできる。
・第二実施形態では、間隔保持部材２１の両端にフランジ８をそれぞれ形成していた。尤も、圧入時の押圧による触媒担体の割れの虞が、間隔保持部材２１が当接される２つの触媒担体の一方のみにしか存在しない場合などには、間隔保持部材２１の片方の端にのみフランジ８を設けるようにしても良い。
【００５２】
・第三実施形態では、間隔保持部材３１の全周に亘って担体保持部９を形成していたが、圧入部材間の軸線の傾きやずれを防止可能であれば、間隔保持部材３１の全周の一部のみに、担体保持部９を形成するようにしても良い。
【００５３】
・上記実施形態では、間隔保持部材を触媒担体の外縁部分にそれぞれ当接されるリング形状に形成していた。尤も、圧入時の押圧に対して両触媒担体の間隔を適切に保持することが可能であれば、間隔保持部材の形状を、Ｃ字形状、Ｕ字形状、又はＸ字形状等の別の形状としても良い。
【００５４】
・上記実施形態では、触媒コンバーター２のハウジング中央部３ｂにハウジング前部３ａ及びハウジング後部３ｃを接合してハウジング３を形成していた。尤も、円管形状に形成されたハウジングの原型に触媒担体を圧入した後、その両端をプレスにより加工してハウジングを成形するなど、他の方法でハウジングを製造するようにしても良い。
【００５５】
・上記実施形態では、尿素ＳＣＲ触媒を担持したＳＣＲ触媒担体４と、ＡＳＣ触媒を担持したＡＳＣ触媒担体６を備える触媒コンバーターに本発明を適用して説明したが、本発明は、複数の触媒担体を内蔵する触媒コンバーターであれば、それ以外の触媒コンバーターにも適用可能である。例えば、酸化触媒とＤＰＦ（Diesel particulate filter）等を備える触媒コンバーターにも、上記実施形態と同様に本発明を適用することができる。
【００５６】
・上記実施形態では、保持マット７として、アルミナファイバーをマット状に成形したアルミナマットを採用していたが、耐熱性、衝撃吸収性を十分に備えるものであれば、それ以外の材料により形成されたマットを保持マットに採用しても良い。
【００５７】
・上記実施形態では、２つの触媒担体を内蔵する触媒コンバーターに本発明を適用した場合を説明したが、３つ以上の触媒担体がそれぞれ間隔をおいてハウジングに内挿された触媒コンバーターにも本発明を適用することが可能である。そうした場合、触媒担体の内の２つ、或いはそれ以上を共通の保持マットで巻き包むとともに、巻き包まれる触媒担体の間に間隔保持部材を設けるようにすれば、保持マットの巻き付けや圧入の工数を減らし、触媒コンバーターの製造を容易とすることができる。
【符号の説明】
【００５８】
１…排気管、２、２０、３０…触媒コンバーター、３…ハウジング、３ａ…ハウジング前部、３ｂ…ハウジング中央部、３ｃ…ハウジング後部、４…ＳＣＲ触媒担体（第１の触媒担体）、５、２１、３１…間隔保持部材、６…ＡＳＣ触媒担体（第２の触媒担体）、７…保持マット、８…フランジ、９…担体保持部、１００…尿素供給装置、１０１…尿素水タンク、１０２…尿素水供給通路、１０３…尿素水ポンプ、１０４…インジェクター、２００…触媒コンバーター、２０１…ＳＣＲ触媒担体、２０２…ＡＳＣ触媒担体、２０３…ハウジング、２０４…保持マット。
【図１】
2013170518.tif 000003
【図２】
2013170518.tif 000004
【図３】
2013170518.tif 000005
【図４】
2013170518.tif 000006
【図５】
2013170518.tif 000007
【図６】
2013170518.tif 000008